【手続補正書】
【提出日】平成22年2月16日(2010.2.16)
【手続補正１】
【補正対象書類名】特許請求の範囲
【補正対象項目名】全文
【補正方法】変更
【補正の内容】
【特許請求の範囲】
【請求項１】
呼制御プロトコルを用いて画像データの通信を行う画像通信装置であって、
送信装置からのメッセージを受信するメッセージ受信手段と、
前記メッセージ受信手段が受信したメッセージに対する応答を前記送信装置に送信するメッセージ送信手段と、
第１の送信装置からの呼制御リクエスト・メッセージを受信して前記第１の送信装置との呼制御を実行している途中に、第２の送信装置からの呼制御リクエスト・メッセージを受信した場合、前記第２の送信装置からの呼制御リクエスト・メッセージに対する応答を、前記第１の送信装置との呼制御が終了した後に送信するよう制御する通信制御手段と、
を備えることを特徴とする画像通信装置。
【請求項２】
前記通信制御手段は、前記第２の送信装置から呼制御リクエスト・メッセージを受信してから予め定められた時間を経過しても前記第１の送信装置との呼制御が終了しない場合、前記第２の送信装置に対して暫定応答メッセージを送信するよう制御することを特徴とする請求項１に記載の画像通信装置。
【請求項３】
呼制御プロトコルを用いて画像データの通信を行う画像通信装置であって、
送信装置からのメッセージを受信するメッセージ受信手段と、
前記メッセージ受信手段が受信したメッセージに対する応答を前記送信装置に送信するメッセージ送信手段と、
第１の送信装置からの呼制御リクエスト・メッセージを受信して前記第１の送信装置との呼制御を実行している途中に、第２の送信装置からの呼制御リクエスト・メッセージを受信した場合、前記第２の送信装置からの呼制御リクエスト・メッセージに対する応答として、他の装置と通信中であることを示すメッセージを前記第２の送信装置に送信するよう制御する通信制御手段と、
を備えることを特徴とする画像通信装置。
【請求項４】
前記他の装置と通信中であることを示すメッセージは、前記画像通信装置がビジーであることを報知するビジーメッセージであることを特徴とする請求項３に記載の画像通信装置。
【請求項５】
前記通信制御手段は、前記第２の送信装置との呼制御を、前記第１の送信装置との呼制御が終了し画像データを通信するためのメディアセッション通信に移行した後に、前記第１の送信装置とのメディアセッション通信と並行して実行するよう制御することを特徴とする請求項１乃至４のいずれか１項に記載の画像通信装置。
【請求項６】
前記通信制御手段は、更に、前記第２の送信装置との画像データを通信するためのメディアセッション通信を、前記第１の送信装置との画像データを通信するためのメディアセッション通信と並行して実行するよう制御することを特徴とする請求項５に記載の画像通信装置。
【請求項７】
呼制御プロトコルを用いて画像データの通信を行う画像通信装置の通信方法であって、
メッセージ受信手段が、送信装置からのメッセージを受信するメッセージ受信工程と、
メッセージ送信手段が、前記メッセージ受信工程で受信したメッセージに対する応答を前記送信装置に送信するメッセージ送信工程と、
通信制御手段が、第１の送信装置からの呼制御リクエスト・メッセージを受信して前記第１の送信装置との呼制御を実行している途中に、第２の送信装置からの呼制御リクエスト・メッセージを受信した場合、前記第２の送信装置からの呼制御リクエスト・メッセージに対する応答を、前記第１の送信装置との呼制御が終了した後に送信するよう制御する通信制御工程と、
を備えることを特徴とする通信方法。
【請求項８】
呼制御プロトコルを用いて画像データの通信を行う画像通信装置の通信方法であって、
メッセージ受信手段が、送信装置からのメッセージを受信するメッセージ受信工程と、
メッセージ送信手段が、前記メッセージ受信工程で受信したメッセージに対する応答を前記送信装置に送信するメッセージ送信工程と、
通信制御手段が、第１の送信装置からの呼制御リクエスト・メッセージを受信して前記第１の送信装置との呼制御を実行している途中に、第２の送信装置からの呼制御リクエスト・メッセージを受信した場合、前記第２の送信装置からの呼制御リクエスト・メッセージに対する応答として、他の装置と通信中であることを示すメッセージを前記第２の送信装置に送信するよう制御する通信制御工程と、
を備えることを特徴とする通信方法。
【請求項９】
請求項７または８に記載の画像通信装置の制御方法をコンピュータに実行させるためのプログラム。
【手続補正２】
【補正対象書類名】明細書
【補正対象項目名】００１８
【補正方法】変更
【補正の内容】
【００１８】
かかる課題を解決するために、本発明の画像通信装置は、呼制御プロトコルを用いて画像データの通信を行う画像通信装置であって、送信装置からのメッセージを受信するメッセージ受信手段と、前記メッセージ受信手段が受信したメッセージに対する応答を前記送信装置に送信するメッセージ送信手段と、第１の送信装置からの呼制御リクエスト・メッセージを受信して前記第１の送信装置との呼制御を実行している途中に、第２の送信装置からの呼制御リクエスト・メッセージを受信した場合、前記第２の送信装置からの呼制御リクエスト・メッセージに対する応答を、前記第１の送信装置との呼制御が終了した後に送信するよう制御する通信制御手段と、を備えることを特徴とする。
【手続補正３】
【補正対象書類名】明細書
【補正対象項目名】００１９
【補正方法】変更
【補正の内容】
【００１９】
また、呼制御プロトコルを用いて画像データの通信を行う画像通信装置であって、送信装置からのメッセージを受信するメッセージ受信手段と、前記メッセージ受信手段が受信したメッセージに対する応答を前記送信装置に送信するメッセージ送信手段と、第１の送信装置からの呼制御リクエスト・メッセージを受信して前記第１の送信装置との呼制御を実行している途中に、第２の送信装置からの呼制御リクエスト・メッセージを受信した場合、前記第２の送信装置からの呼制御リクエスト・メッセージに対する応答として、他の装置と通信中であることを示すメッセージを前記第２の送信装置に送信するよう制御する通信制御手段と、を備えることを特徴とする。
【手続補正４】
【補正対象書類名】明細書
【補正対象項目名】００２０
【補正方法】変更
【補正の内容】
【００２０】
また、本発明の通信方法は、呼制御プロトコルを用いて画像データの通信を行う画像通信装置の通信方法であって、メッセージ受信手段が、送信装置からのメッセージを受信するメッセージ受信工程と、メッセージ送信手段が、前記メッセージ受信工程で受信したメッセージに対する応答を前記送信装置に送信するメッセージ送信工程と、通信制御手段が、第１の送信装置からの呼制御リクエスト・メッセージを受信して前記第１の送信装置との呼制御を実行している途中に、第２の送信装置からの呼制御リクエスト・メッセージを受信した場合、前記第２の送信装置からの呼制御リクエスト・メッセージに対する応答を、前記第１の送信装置との呼制御が終了した後に送信するよう制御する通信制御工程と、を備えることを特徴とする。
【手続補正５】
【補正対象書類名】明細書
【補正対象項目名】００２１
【補正方法】変更
【補正の内容】
【００２１】
また、呼制御プロトコルを用いて画像データの通信を行う画像通信装置の通信方法であって、メッセージ受信手段が、送信装置からのメッセージを受信するメッセージ受信工程と、メッセージ送信手段が、前記メッセージ受信工程で受信したメッセージに対する応答を前記送信装置に送信するメッセージ送信工程と、通信制御手段が、第１の送信装置からの呼制御リクエスト・メッセージを受信して前記第１の送信装置との呼制御を実行している途中に、第２の送信装置からの呼制御リクエスト・メッセージを受信した場合、前記第２の送信装置からの呼制御リクエスト・メッセージに対する応答として、他の装置と通信中であることを示すメッセージを前記第２の送信装置に送信するよう制御する通信制御工程と、を備えることを特徴とする。